(57)【要約】【課題】効率良く、かつ省スペースで土砂を加水することができる土砂の加水方法及び加水装置を提供する。【解決手段】本発明の土砂の加水方法は、縦型筒状のケーシング２０内で回転する回転打撃体３８に水又は添加剤を供給して粉砕しミスト雰囲気にする工程と、前記ミスト雰囲気中で前記ケーシング２０内に土砂を供給して、前記回転打撃体３８で衝撃を与えて粉砕し混合攪拌しながら前記土砂を加水する工程と、を有することを特徴としている。【選択図】図１
2015003292.tif 000002
【特許請求の範囲】
【請求項１】
縦型筒状のケーシング内で回転する回転打撃体に水又は添加剤を供給して粉砕しミスト雰囲気にする工程と、
前記ミスト雰囲気中で前記ケーシング内に土砂を供給して、前記回転打撃体で衝撃を与えて粉砕し混合攪拌しながら前記土砂に加水する工程と、
を有することを特徴とする土砂の加水方法。
【請求項２】
前記ケーシングに供給する前の前記土砂の水分を測定する工程と、
前記土砂の水分測定値に基づいて、混合土の含水比の設定値に必要な水分量の差分を満たす前記水又は添加剤の給水量に制御する工程と、
を有することを特徴とする請求項１に記載の土砂の加水方法。
【請求項３】
上部から供給された土砂を内部で回転可能な回転打撃体で衝撃を与えて粉砕し混合撹拌可能な縦型筒状のケーシングと、
前記ケーシング内の前記回転打撃体に向けて水又は添加剤を供給可能な加水手段と、
を備え、
前記ケーシングは、前記回転打撃体で前記水又は添加剤を粉砕し前記ケーシング内をミスト雰囲気にして前記土砂を混同撹拌しながら加水することを特徴とする土砂の加水装置。
【請求項４】
前記ケーシングに供給する前の前記土砂の水分を測定可能な水分測定手段と、
前記加水手段と前記水分測定手段に電気的に接続して、前記土砂の水分測定値に基づいて、混合土の含水比の設定値に必要な水分量との差分を満たす前記水又は添加剤の給水量に制御可能な制御手段と、
を備えたことを特徴とする請求項３に記載の土砂の加水装置。
【発明の詳細な説明】
【技術分野】
【０００１】
本発明は、土木分野の土工の土質改良に関し、特に加水によって土砂の含水比を調整する土砂の加水方法及び加水装置に関する。
【背景技術】
【０００２】
土壌汚染の封じ込め、廃棄物最終処分場などの遮水層には、遮水性能の高い土質系遮水ライナーが用いられている。しかし、土質系遮水ライナーに適用可能とし、十分な遮水性と、良好な施工性を有した現地発生土が容易に入手されるとは限らない。そこで、天然材料の改質やベントナイト混合土などが利用されているが、遮水性は初期含水比によって異なるため、改良土を最適含水比に調整する必要がある。しかし、ベントナイト混合土は遮水性が高いために加水した場合には、含水比のバラツキが大きくなったり、粘性が高くなったりして装置に付着して混合が困難になる現象が生じることが問題となっていた。このような問題は、トンネル掘削により発生するずり処分や、土壌汚染の浄化の混合土製造においても同様の問題となっていた。
【０００３】
従来の土砂の改良方法として、例えば、特許文献１には、複数のベルトコンベアを直列に配置して、上流から砂、ベントナイト、礫の供給部と、下流側に水供給部を取り付けて、ベントナイト混合土を連続的に作製可能なベントナイト混合土作製装置が開示されている。
【０００４】
また、特許文献２には、母材と粉体の供給部と、混合装置と、流体混入装置を備え、粉体混合物を自由落下させて、複数の噴射ノズルから微粒子状の流体を噴射して加水する粉体混合物製造装置が開示されている。
【先行技術文献】
【特許文献】
【０００５】
【特許文献１】特開２０１１−１５６７３５号公報
【特許文献２】特開２０１３−８５９８９号公報
【発明の概要】
【発明が解決しようとする課題】
【０００６】
しかしながら、特許文献１のようなベルトコンベアによる改良土の混合、加水方法は、母材とベントナイトが層状に重なりあっているため、均一に混合されているとはいい難い。また表面に加水することによって、塊状の中心部分と表面とで水分のバラツキが大きくなるため、遮水性の低下につながる締め固めた混合土の乾燥密度が低くなる。落下する土砂に加水しているため、表面のみ加水された土砂が装置に付着して塊となる。長尺のベルトコンベア搬送で混合しているため、装置が大型化してしまうという問題があった。
【０００７】
また、特許文献２のように土砂を落下させながら、ミストを噴霧する縦落とし加水方式にて、所要含水比に調整する方法では、ミスト上に噴霧する装置を複数個設置する必要があるため、装置が長尺化し設備が大きくなる問題があった。また、混合は別装置で行うため、設備の設置スペースが大きくなる問題があった。さらに、加水後に練り混ぜる工程がないために、遮水性の低下につながる締め固めた混合物の乾燥密度が低くなる。従来のミスト供給は、ミストの状態で噴霧させるノズルが必要となる。大量の水を供給する場合、供給が不足するおそれがあるという問題があった。
【０００８】
上記従来技術の問題点を解決するため、本発明は、効率良く、かつ省スペースで土砂を加水することができる土砂の加水方法及び加水装置を提供することを目的としている。
【課題を解決するための手段】
【０００９】
本発明は、上記の課題を解決するための第１の手段として、縦型筒状のケーシング内で回転する回転打撃体に水又は添加剤を供給して粉砕しミスト雰囲気にする工程と、前記ミスト雰囲気中で前記ケーシング内に土砂を供給して、前記回転打撃体で衝撃を与えて粉砕し混合攪拌しながら前記土砂を加水する工程と、を有することを特徴としている。
【００１０】
本発明は、上記の課題を解決するための第２の手段として、第１の手段において、前記ケーシングに供給する前の前記土砂の水分を測定する工程と、前記土砂の水分測定値に基づいて、混合土の含水比の設定値に必要な水分量との差分を満たす前記水又は添加剤の給水量に制御する工程と、を有することを特徴としている。
【００１１】
本発明は、上記の課題を解決するための第３の手段として、上部から供給された土砂を内部で回転可能な回転打撃体で衝撃を与えて粉砕し混合撹拌可能な縦型筒状のケーシングと、前記ケーシング内の前記回転打撃体に向けて水又は添加剤を供給可能な加水手段と、を備え、前記ケーシングは、前記回転打撃体で前記水又は添加剤を粉砕し前記ケーシング内をミスト雰囲気にして前記土砂を混同撹拌しながら加水することを特徴としている。
【００１２】
本発明は、上記の課題を解決するための第４の手段として、第３の手段において、前記ケーシングに供給する前の前記土砂の水分を測定可能な水分測定手段と、前記加水手段と前記水分測定手段に電気的に接続して、前記土砂の水分測定値に基づいて、混合土の含水比の設定値に必要な水分量との差分を満たす前記水又は添加剤の給水量に制御可能な制御手段と、を備えたことを特徴としている。
【発明の効果】
【００１３】
上記のような本発明によれば、土砂と水又は添加剤を打撃体で撹拌混合しているため、土砂の混合と加水を同時に行うことができ、短時間、かつ装置の省スペース化を図ることができる。
また上記のような本発明によれば、水又は添加剤を回転打撃体で衝撃を与えてミスト化しケーシング内をミスト雰囲気にしているので、土砂の表面だけでなく内部まで十分均一に加水することができ、特に塊状になりやすい細粒分（ベントナイトを含む）を多く含む遮水性材料において、締固めた混合土の乾燥密度を高くすることができ、遮水性の向上を図ることができる。さらに、従来のような噴霧ノズルを複数多段に設ける必要がなく、大量の水を処理できるとともに、省スペース化を図ることができる。
上記のような本発明によれば、加水した土砂が装置に付着したり、塊となったりすることを低減でき、あらかじめ定めた含水比の土砂を容易に得ることができる。
また上記のような本発明によれば、土砂の水分実測値から含水比の設定値に必要な給水量を供給しているので、あらかじめ定めた含水比となる土砂を精度良く得ることができる。
【図面の簡単な説明】
【００１４】
【図１】本発明の土砂の加水装置の構成概略図である。
【図２】縦型筒状のケーシングの拡大側面図である。
【図３】土砂の乾燥密度と含水比の関係を示すグラフである。
【発明を実施するための形態】
【００１５】
本発明の土砂の加水方法及び加水装置の実施形態を添付の図面を参照しながら、以下詳細に説明する。
【００１６】
図１は本発明の土砂の加水装置の構成概略図である。図２は縦型筒状のケーシングの拡大側面図である。この実施形態の構成要素（部品・部材）で材質ないし材料を説明しないものは金属製である。そのような金属としては耐衝撃性などの機械的特性の優れた鋼がよく採用される。なお、材質や材料について説明しないもののうち、例外として、金属製でないことが自明の周知部品や周知部材もある。
【００１７】
図示のように本発明の土砂の加水装置１０は、上面の開口から供給された土砂を内部で回転可能な回転打撃体３８で衝撃を与えて粉砕し混合撹拌可能な縦型筒状のケーシング２０と、ケーシング２０内の回転打撃体３８に向けて水又は添加剤を供給可能な加水手段５０と、ケーシング２０に供給する前の土砂の水分を測定可能な水分測定手段６０ａ，６０ｂと、土砂の水分測定値と、混合土の含水比の設定値に必要な水分量との差分を満たすように水又は添加剤の給水量を制御可能な制御手段７０と、を基本構成としている。
【００１８】
ケーシング２０は、縦型の円筒形状、換言すれば両端面を上下に配置した処理容器である。ケーシング２０は、支持台２１に取り付けられている。ケーシング２０は、上部に土砂導入口２２、下部に土砂排出口２４がそれぞれ形成されている。土砂導入口２２は、土砂をケーシング２０内に落とし込むようにシュート状に形成されている。ケーシング２０は土砂の連続搬送ライン上に取り付け可能であり、本実施形態では、土砂搬入コンベア４２の終端がケーシング２０の土砂導入口２２の上方に配置され、土砂排出コンベア４８の始端がケーシング２０の土砂排出口２４の下方に配置されている。
【００１９】
ケーシング２０には粉砕手段３０が取り付けられている。粉砕手段３０は回転軸３２と、連結部３４と、モーター３６と、回転打撃体３８を主な基本構成としている。
【００２０】
回転軸３２は、ケーシング２０の中心に配置したシャフトであり、中心軸がケーシング２０内で垂直方向に配置されている。回転軸３２の下端はケーシング２０内の軸受（不図示）によって軸支され、上端は、連結部３４に接続している。
【００２１】
連結部３４は、従動輪３４ａと、原動輪３４ｂと、エンドレス体３４ｃを主な基本構成としている。従動輪３４ａは回転軸３２の上端に取り付けている。原動輪３４ｂは後述するモーター３６の回転シャフトに取り付けている。そしてエンドレス体３４ｃは、従動輪３４ａと原動輪３４ｂに亘って掛け回されている。従動輪３４ａと原動輪３４ｂはプーリー、タイミングプーリー、スプロケットホイールのいずれかを用いることができる。エンドレス体３４ｃは、従動輪３４ａと原動輪３４ｂの双方に対応する動力伝達用ベルト、タイミングベルト、チェーンのいずれかを用いることができる。このような連結部３４の構成によれば、モーター３６の動力を回転軸３２に伝達することができる。
モーター３６は、連結部３４を介して回転軸３２と接続し、回転軸３２を回転させるための動力源となる。モーター３６はケーシング２０のサポート台２１ａ上に取り付けられている。
【００２２】
回転打撃体３８は、一部又は全部が金属製の剛体である。回転打撃体３８は、一例として、ピンを介して回転軸３２に取り付けることができる。そして、回転打撃体３８は、回転軸３２の外周に一段又は上下複数段で取り付けることができる。本実施形態の回転打撃体３８は、粉砕時における打撃体自身の衝撃を緩和するために、一部又は全部が水平方向に屈曲するものであることが望ましい。そのため回転打撃体３８は、一部又は全部が可撓性を具備したり、屈曲自在に連結したりする構成とすることができる。回転打撃体３８は、例えば、チェーン、短冊形の金属製厚板ないし金属製ブロックからなるインパクト部材を先端に連結したチェーン、フレキシブルワイヤー、先端部から両側部に亘ってナイフエッジを有する金属製の細長いブレードなどを用いることができる。そして回転打撃体３８の長さは、回転時にケーシング２０と接触しない長さに設定されている。このような構成の粉砕手段３０は、回転打撃体３８にチェーンを用いた場合、回転前に自重で垂れ下がっていたものが回転軸３２の回転によって水平浮揚するようになる。ケーシング２０内で高速回転する回転打撃体３８により、水をミスト化、および土砂を粉砕することができる。そして落下する土砂を回転打撃体３８でヒットすると、土砂に対する剪断作用が大きくなり、効率的に土砂を所定の最大径まで粉砕することができる。
【００２３】
なお、ケーシング２０は、内壁に付着した土砂を掻き取る掻き取り手段（不図示）を設ける構成としても良い。これにより、ケーシング２０内に付着する土砂を掻き取って、土砂の粉砕を均一に行うことができる。
搬入手段４０は、土砂搬入コンベア４２と、母材供給部４４と、添加材供給部４６を主な基本構成としている。土砂搬入コンベア４２は、終端がケーシング２０の土砂導入口２２の上方に配置され、始端から土砂を搬送可能なコンベアである。母材供給部４４は、母材ホッパー４４ａと、定量供給部４４ｂを備えている。母材となる土砂は、母材ホッパー４４ａに一時的に貯留させている。定量供給部４４ｂは、母材ホッパー４４ａの排出口に取り付けられ、定量的に土砂搬入コンベア４２へ母材を供給可能としている。添加材供給部４６は、添加材ホッパー４６ａと、定量供給部４６ｂを備えている。添加材となるベントナイトは、添加材ホッパー４６ａに一時的に貯留させている。定量供給部４６ｂは、添加材ホッパー４６ａの排出口に取り付けられ、定量的に土砂搬入コンベア４２へベントナイトを供給可能としている。各定量供給部４４ｂ，４６ｂには、後述する水分測定手段６０ａ，６０ｂが取り付けられている。なお、本発明の添加材は、母材となる土砂の遮水性能、強度を高めるものであれば良く、この他にセメント、石灰系固化材などの粒状、粉状の固形物を適用することができる。
【００２４】
加水手段５０は、給水配管５２と、給水用ポンプ５４と、給水タンク５６を備えている。給水配管５２の一端は、ケーシング２０の上面に配置され、回転打撃体３８に向けて給水できるように取り付けている。給水配管５２は給水タンク５６と、給水用ポンプ５４に接続している。給水タンク５６は、水を一時的に貯水するタンクである。給水用ポンプ５４は、水に所定圧力を掛けて圧送するポンプである。なお本発明の加水手段５０は、水の他にも添加剤を土砂に加えるように構成できる。添加剤は、溶質を添加材とし、溶媒に水を用いた水溶液である。添加材を用いた場合の含水比は、添加材含水比のことをいう。
このような構成の加水手段５０は、給水タンク５６に貯水した水又は添加剤を給水用ポンプ５４により、給水配管５２からケーシング２０内の回転打撃体３８に向けて水又は添加剤を給水することができる。
【００２５】
なお加水手段５０は、搬入手段４０にも取り付ける構成としてもよい。搬入手段の加水手段（不図示）は、土砂搬入コンベア４２の終端側に取り付けて、コンベア上に水又は添加剤を供給する。このような構成の加水手段５０により、ケーシング２０内のミスト雰囲気による加水が足りない場合に補うことができる。
【００２６】
水分測定手段６０ａ，６０ｂは、土砂、添加材などの水分量を測定可能なセンサーであり、一例として赤外線水分計等を用いることができる。本実施形態の水分測定手段６０ａ，６０ｂは、搬入手段４０の定量供給部４４ｂ，４６ｂに取り付けている。
【００２７】
制御手段７０は、加水手段５０と、水分測定手段６０ａ，６０ｂと電気的に接続している。混合土を製造するには、まず母材・添加材の種類、混合土の混合比（母材又は／及び添加材）、母材の重量、添加材の重量、混合土の総重量が決められる。そして、混合土の含水比の設定値に必要な水分量は、この総重量からあらかじめ求めることができる。制御手段７０では、水分測定手段６０ａ，６０ｂの測定値から母材の水分量、添加材の水分量を求めることができる。制御手段７０は、水分測定手段６０ａ，６０ｂによる土砂の水分測定値に基づいて、土砂の水分量を求めて、混合土の含水比の設定値に必要な水分量との差分から混合土の含水比の設定値に必要な給水量を算出する。そして、制御手段７０は、算出した必要な給水量の水を加水手段５０から土砂へ供給させて、混合土の含水比の設定値となるように制御している。
なお、本発明の土砂は、単品又は複数の土、単品又は複数の土と添加材、その他複数の組み合わせを適用することができる。また本発明の混合とは、図１に示す土砂と添加材と水の組み合わせの他、単品又は複数の土砂及び水、単品又は複数の土砂及び添加剤、土砂と添加材と添加剤、その他複数の組み合わせである。
【００２８】
上記構成による本発明の土砂の加水装置１０を用いた加水方法について、以下説明する。
【００２９】
搬入手段４０の母材ホッパー４４ａから土砂搬入コンベア４２へ母材となる土砂を定量供給部４４ｂにより定量的に供給する。定量供給部４４ｂに取り付けた水分測定手段６０ａにより、土砂の水分を測定し、測定値が制御手段７０に送信される。また、添加材ホッパー４６ａから土砂搬入コンベア４２へベントナイトを定量供給部４６ｂにより定量的に供給する。定量供給部４６ｂに取り付けた水分測定手段６０ｂにより、ベントナイトの水分を測定し、測定値が制御手段７０に送信される。
【００３０】
制御手段７０では、土砂とベントナイトの水分測定値に基づいて、あらかじめ定めた混合土の含水比の設定値に必要な水分量と、測定値から求めた土砂、ベントナイトの水分量の差分を算出する。そして、算出した差分に相当する水の給水量を加水手段５０へ送信する。
【００３１】
加水手段５０は、水を給水配管５２からケーシング２０内の回転打撃体３８へ向けて供給する。ケーシング２０内部では連結部３４を介して動力源となるモーター３６と接続した回転軸３２が回転する。回転軸３２の外周に取り付けられた複数の回転打撃体３８は、回転前に自重で垂れ下がっていたものが回転軸３２の回転に伴って水平浮揚するようになる。そしてケーシング２０内では、回転打撃体３８が所定の回転比で高速回転し、供給された水が粉砕されてミスト化してミスト雰囲気になる。
【００３２】
土砂搬入コンベア４２により連続搬送された土砂、ベントナイトは、土砂導入口２２からケーシング２０内へと供給される。土砂及びベントナイトは、ミスト雰囲気中のケーシング２０内を落下しながら、回転打撃体３８により衝撃を与えられて粉砕し混合攪拌されて、所定の含水比に加水される。
加水された土砂は、ケーシング２０の下部の土砂排出口２４から土砂排出コンベア４８上へ落下して、外部へ搬出される。本実施形態の土砂の加水装置１０は、ケーシング２０内を落下する土砂を粉砕しながら加水する処理を短時間で処理することができる。またこのような土砂の加水処理を連続的に行うことができる。
【００３３】
図３は土砂の乾燥密度と含水比の関係を示すグラフである。同図の縦軸は、乾燥密度（ｇ／ｃｍ３）、横軸は含水比（％）を示している。丸プロットは本発明の土砂の加水方法を示し、三角プロットは従来の土砂の加水方法を示している。図示のように、本発明の土砂の加水方法によれば、例えば、含水比１０％から３０％ではいずれも従来の土砂の加水方法と比べて、乾燥密度が高くなっている。一般に乾燥密度が高まると、透水係数が低くなり、遮水性能が高くなる。本発明の土砂の加水方法は、土砂の表面ばかりでなく、内部まで十分均一に加水されているため、乾燥密度を高くすることができる。
【００３４】
このような本発明の土砂の加水方法によれば、土砂の混合と加水を同時に行うことができ、装置の省スペース化を図ることができる。また、加水した土砂が装置に付着したり、塊となったりすることを低減でき、あらかじめ定めた含水比の混合土を容易に得ることができる。また、加水手段から添加剤を供給した場合であっても、同様に土砂の混合と加水を同時に行うことができる。
【産業上の利用可能性】
【００３５】
本発明は、特に遮水性の高い遮水層を構築可能であり、土壌汚染の封じ込め、一般廃棄物処分場の表面遮水工、放射性廃棄物の処分などの分野で有効なものとなる。
【符号の説明】
【００３６】
１０………土砂の加水装置、２０………ケーシング、２１………支持台、２１ａ………サポート台、２２………土砂導入口、２４………土砂排出口、３０………粉砕手段、３２………回転軸、３４………連結部、３４ａ………従動輪、３４ｂ………原動輪、３４ｃ………エンドレス体、３６………モーター、３８………回転打撃体、４０………搬入手段、４２………土砂搬入コンベア、４４………母材供給部、４４ａ………母材ホッパー、４４ｂ………定量供給部、４６………添加材供給部、４６ａ………添加材ホッパー、４６ｂ………定量供給部、４８………土砂排出コンベア、５０………加水手段、５２………給水配管、５４………給水用ポンプ、５６………給水タンク、６０ａ，６０ｂ………水分測定手段、７０………制御手段。
【図１】
2015003292.tif 000003
【図２】
2015003292.tif 000004
【図３】
2015003292.tif 000005